(57)【要約】【課題】穿孔機の小型軽量化【解決手段】穿孔機において、下面壁部及び前面壁部によってＬ型をなすフレームと、前面壁部に対して上下動するように取り付けられており、穿孔工具を回転駆動するためのモータを有する穿孔駆動部と、該穿孔駆動部と別体とされ、穿孔駆動部のモータの駆動電源としてのバッテリを前面壁部の後側で且つ下面壁部の上側の位置に保持するための、フレームに取り付けられたバッテリハウジングとを有するようにする。フレームは、穿孔工具による穿孔加工の際に生じる負荷を支持する強度を有するようにする。【選択図】        図１
2014217915.tif 000002
【特許請求の範囲】
【請求項１】
穿孔機において、
穿孔加工を受ける被加工物に取り外し可能に取り付けられる下面壁部、及び該下面壁部に連接し該下面壁部から上方に延びて該下面壁部とともにＬ型をなす前面壁部を有するフレームと、
穿孔工具を回転駆動するためのモータを有する穿孔駆動部であって、前記前面壁部の前側に取り付けられ、前記下面壁部が前記被加工物に固定された状態で、前記穿孔工具を該被加工物に対して近づけたり離したりするために前記前面壁部に沿って上下動される穿孔駆動部と、
前記フレームとは別体に用意され、該フレームに取り付けられて、前記モータの駆動電源としてのバッテリを、前記前面壁部の後側で且つ前記下面壁部の上側の位置に保持するためのバッテリハウジングと、
を備え、
前記フレームは、前記穿孔工具による前記穿孔加工の際に生じる負荷を支持する強度を有するようにされた、穿孔機。
【請求項２】
前記フレームと前記バッテリハウジングとの間に前記モータを制御する駆動制御回路を配置するための内部空間が形成されるようにされた、請求項１に記載の穿孔機。
【請求項３】
前記バッテリハウジングが右側部分及び左側部分からなり、該右側部分及び左側部分のそれぞれが前記フレームに取り付けられるようにされている、請求項１又は２に記載の穿孔機。
【請求項４】
前記下面壁部の下面に取り付けられ、前記下面壁部を前記被加工物に対して取り外し可能に固定する固定部をさらに備える、請求項１乃至３の何れか一項に記載の穿孔機。
【請求項５】
前記固定部が前記バッテリに接続された電磁石式固定部である、請求項４に記載の穿孔機。
【請求項６】
前記電磁石式固定部を起動するための電磁石スイッチと、前記モータを起動するためのモータスイッチとをさらに備え、前記電磁石スイッチと前記モータスイッチとが、前記バッテリハウジングの左右の異なる側の側面に設けられている、請求項５に記載の穿孔機。
【請求項７】
前記駆動制御回路が、前記内部空間内において前記フレームの前記前面壁部又は前記下面壁部と並行に配置されるようにされた、請求項２に記載の穿孔機。
【請求項８】
前記フレームが金属製であり、前記バッテリハウジングが樹脂製である、請求項１乃至７の何れか一項に記載の穿孔機。
【請求項９】
前記フレームが、前記下面壁部および前記前面壁部の左右の両側縁間に設けられた左右のリブを有する、請求項１乃至８の何れか一項に記載の穿孔機。
【請求項１０】
前記バッテリハウジングが、前記前面壁部の後側で該前面壁部から離れて並行に延びる中間壁部と、該中間壁部の左右の両側縁から後方に延びる左右の側壁部とを有し、前記中間壁部と前記左右の側壁部とによって前記バッテリを着脱可能に収容するバッテリ収納空間を画定するようにされている、請求項１乃至９の何れか一項に記載の穿孔機。
【請求項１１】
前記バッテリ収容空間は前記左右の側壁部に挟まれた底面壁部をさらに有し、該底面壁部が前方から後方に向かって下方に傾斜している、請求項１０に記載の穿孔機。
【請求項１２】
前記ハウジングの前記右側部分の上部には右側取っ手部が設けられ、前記ハウジングの前記左側部分の上部には左側取っ手部が設けられており、前記右側部分及び左側部分が前記フレームに取り付けられたときに前記右側取っ手部及び左側取っ手部が一つの取っ手を形成し、該右側取っ手部から左側取っ手部にまで延在するネジにより前記右側取っ手部及び左側取っ手部が連結固定されている、請求項３に記載の穿孔機。
【請求項１３】
前記フレームの前記前面壁部の前面にアリ溝が設けられ、前記穿孔駆動部に前記アリ溝と摺動係合するスライダが設けられている、請求項１乃至１２の何れか一項に記載の穿孔機。
【請求項１４】
前記駆動制御回路は前記内部空間内の下方位置に配置され、前記内部空間内の上方位置には前記駆動制御回路と配線接続された回路部材が設けられており、前記バッテリハウジングは、前記駆動制御回路と前記回路部材との間で前記内部空間を上下に分割する仕切り板を有し、該仕切り板には上下方向に連通する開口部が設けられ、前記開口部には該開口部と密封係合するシール部材が設けられており、前記配線は、前記開口部を通って配線されて前記シール部材によって前記仕切り板に対して密封されている、請求項２又は７に記載の穿孔機。
【発明の詳細な説明】
【技術分野】
【０００１】
本発明はバッテリにより駆動される可搬型の穿孔機に関する。
【背景技術】
【０００２】
可搬型の穿孔機は、例えば特許文献１に記載されているように、フレームと、ドリル等の穿孔工具を回転駆動するモータを有しフレームに対して上下動するように取り付けられた穿孔駆動部と、フレームの下部に設けられていて当該穿孔機を被加工物に対して取り外し可能に固定保持する固定部とを備えている。フレームは、内部空間を有し、その内部空間には穿孔駆動部のモータ等を制御する駆動制御部や電気配線等が配置される。該フレームは、通常、十分な強度を確保するために金属の鋳物で作製されており、そのため、作製可能な形状が限られ、壁厚が大きくなり、装置全体としてのサイズ及び重量が大きくなっていた。
【０００３】
近年は、この種の穿孔機の可搬性を高めるために穿孔工具駆動用にバッテリを使用するものが用いられるようになってきており、通常、バッテリはフレームに設けられるバッテリ収納部に保持されるようになっている。このため、鋳物として成型されるフレームはサイズ及び重量がより大きいものとなる。
【先行技術文献】
【特許文献】
【０００４】
【特許文献１】実公平７−３５６９８号
【発明の概要】
【発明が解決しようとする課題】
【０００５】
そこで本発明は、バッテリを用いた穿孔機であって、このような従来のものよりも小型軽量化を可能とする穿孔機を提供することを目的とする。
【課題を解決するための手段】
【０００６】
すなわち本発明は、
穿孔機において、
穿孔加工を受ける被加工物に取り外し可能に取り付けられる下面壁部、及び該下面壁部に連接し該下面壁部から上方に延びて該下面壁部とともにＬ型をなす前面壁部を有するフレームと、
穿孔工具を回転駆動するためのモータを有する穿孔駆動部であって、前記前面壁部の前側に取り付けられ、前記下面壁部が前記被加工物に固定された状態で、前記穿孔工具を該被加工物に対して近づけたり離したりするために前記前面壁部に沿って上下動される穿孔駆動部と、
前記フレームとは別体に用意され、該フレームに取り付けられて、前記モータの駆動電源としてのバッテリを、前記前面壁部の後側で且つ前記下面壁部の上側の位置に保持するためのバッテリハウジングと、
を備え、
前記フレームは、前記穿孔工具による前記穿孔加工の際に生じる負荷を支持する強度を有するようにされた、穿孔機を提供する。
【０００７】
当該穿孔機においては、穿孔駆動部を支持するとともに穿孔工具による穿孔加工の際に生じる負荷を支持する強度を有するようにされたフレームと、該フレームに取り付けられるバッテリハウジングとを別体の部材として構成することで、バッテリハウジングの機械的強度は小さいものでよいこととなる。従って、前述したような鋳物などで作る必要はなく樹脂などで造ることも可能となり、また、形状の選択の自由度も大きくなり、当該穿孔機を、より小型且つ軽量なものにすることが可能となる。
【０００８】
好ましくは、前記フレームと前記バッテリハウジングとの間に前記モータを制御する駆動制御回路を配置するための内部空間が形成されるようにすることができる。
【０００９】
好ましくは、前記バッテリハウジングが右側部分及び左側部分からなり、該右側部分及び左側部分のそれぞれが前記フレームに取り付けられるようにすることができる。
【００１０】
バッテリハウジングを左右に分割した構造をすることで、内部に回路や配線等を組み付ける際の作業性を向上させることが可能となる。
【００１１】
また好ましくは、前記下面壁部の下面に取り付けられ、前記下面壁部を前記被加工物に対して取り外し可能に固定する固定部をさらに備えるようにすることができる。
【００１２】
好ましくは、前記固定部が前記バッテリに接続された電磁石式固定部であるようにすることができる。
【００１３】
さらに好ましくは、前記電磁石式固定部を起動するための電磁石スイッチと、前記モータを起動するためのモータスイッチとをさらに備え、前記電磁石スイッチと前記モータスイッチとが、前記バッテリハウジングの左右の異なる側の側面に設けられているようにすることができる。
【００１４】
２つのスイッチを左右の異なる側の側面に配置することで、スイッチへの配線が干渉しにくくなり、装置をより小型にすることが可能となる。また、組み付け性も向上する。
【００１５】
また好ましくは、前記駆動制御回路が、前記内部空間内において前記フレームの前記前面壁部又は前記下面壁部と並行に配置されるようにすることができる。
【００１６】
駆動制御回路をこのような配置とすることにより、無駄な空間が少なくなり、当該穿孔機をさらに小型なものにすることが可能となる。
【００１７】
好ましくは、前記フレームが金属製であり、前記バッテリハウジングが樹脂製であるようにすることができる。
【００１８】
比較的に重量があり且つ穿孔加工中に穿孔工具から大きな力を受ける穿孔駆動部を支持するＬ型のフレームは金属製として十分な強度を持たせつつ、あまり大きな力がかからないバッテリハウジングは樹脂製とすることで装置全体としての軽量化を図ることが可能となる。また、バッテリを保持するバッテリハウジングを樹脂製とすることで、バッテリの接続端子の金属部材への接触による短絡を防止するとともに、通常は樹脂の筐体で覆われているバッテリがバッテリハウジングに対して着脱されたときにバッテリが摩耗したり傷ついたりすることを防止することも可能となる。
【００１９】
好ましくは、前記フレームが、前記下面壁部および前記前面壁部の左右の両側縁間に設けられた左右のリブを有するようにすることができる。
【００２０】
左右のリブを設けることでフレームの強度を向上させることができる。
【００２１】
また好ましくは、前記バッテリハウジングが、前記前面壁部の後側で該前面壁部から離れて並行に延びる中間壁部と、該中間壁部の左右の両側縁から後方に延びる左右の側壁部とを有し、前記中間壁部と前記左右の側壁部とによって前記バッテリを着脱可能に収容するバッテリ収納空間を画定するようにすることができる。
【００２２】
バッテリを収容するためのバッテリ収容空間が穿孔駆動部が取り付けられる前面壁部から後方に離れた位置にあり、比較的に重量のある駆動制御部とバッテリとが前後方向で離れた位置に配置されるので、装置全体の重量バランスが良くなり、装置が転倒しにくくなると共に、持ち運び時にも安定した姿勢を保つことが可能となる。また、発熱体であるモータとバッテリが離れた位置に配置となるので、効率的な廃熱と冷却も可能となる。
【００２３】
さらに好ましくは、前記バッテリ収容空間は前記左右の側壁部に挟まれた底面壁部をさらに有し、該底面壁部が前方から後方に向かって下方に傾斜しているようにすることができる。
【００２４】
このような構造により、バッテリ収容空間内に水が入ったときにその水が自然に排出されるようになる。
【００２５】
好ましくは、前記ハウジングの前記右側部分の上部には右側取っ手部が設けられ、前記ハウジングの前記左側部分の上部には左側取っ手部が設けられており、前記右側部分及び左側部分が前記フレームに取り付けられたときに前記右側取っ手部及び左側取っ手部が一つの取っ手を形成し、該右側取っ手部から左側取っ手部にまで延在するネジにより前記右側取っ手部及び左側取っ手部が連結固定されているようにすることができる。
【００２６】
当該穿孔機を持ち運ぶ際に大きな力がかかる取っ手内にネジを延在させることにより、該ネジの強度を利用して取っ手の強度を高めることが可能となる。
【００２７】
好ましくは、前記フレームの前記前面壁部の前面にアリ溝が設けられ、前記穿孔駆動部に前記アリ溝と摺動係合するスライダが設けられているようにすることができる。
【００２８】
フレームの前面壁部に直接アリ溝を設けるようにすることにより、部品点数を減らすと共に装置をより小型にすることが可能となる。
【００２９】
好ましくは、前記駆動制御回路は前記内部空間内の下方位置に配置され、前記内部空間内の上方位置には前記駆動制御回路と配線接続された回路部材が設けられており、前記バッテリハウジングは、前記駆動制御回路と前記回路部材との間で前記内部空間を上下に分割する仕切り板を有し、該仕切り板には上下方向に連通する開口部が設けられ、前記開口部には該開口部と密封係合するシール部材が設けられており、前記配線は、前記開口部を通って配線されて前記シール部材によって前記仕切り板に対して密封されているようにすることができる。
【００３０】
内部空間の上方に位置する回路部材の周囲に水が浸入した場合でも、駆動制御回路が配置される内部空間の下方にまで水が侵入することを防止することが可能となる。
【００３１】
以下、本発明に係る穿孔機の実施形態を添付図面に基づき説明する。
【図面の簡単な説明】
【００３２】
【図１】本発明の一実施形態に係る穿孔機の前方左側面側の斜視図である。
【図２】図１に示す穿孔機の前方右側面側の斜視図である。
【図３】図１に示す穿孔機の部分断面図である。
【図４】本体部の分解図である。
【図５】図１に示す穿孔機のバッテリが外された状態の後方斜視図である。
【図６】図５に示す穿孔機のバッテリが装着された状態の図である。
【図７】図１に示す穿孔機の穿孔駆動部を本体部から分離した状態の斜視図である。
【図８】図７に示す穿孔駆動部の別の角度からの斜視図である。
【発明を実施するための形態】
【００３３】
本発明の一実施形態に係る穿孔機１０は、図１乃至図３に示すように、本体部１２と、本体部１２に対して上下方向に往復動するように該本体部１２の前方に取り付けられた穿孔駆動部１４と、本体部１２の後方上部に装着されたバッテリ１６と、本体部１２の下方に取り付けられ、本体部１２を当該穿孔機１０による穿孔作業位置に固定保持するための電磁石式固定部１８と、を備えたバッテリ式の可搬型の穿孔機１０である。この穿孔機１０は、電磁石式固定部１８により所定の穿孔作業位置に固定された状態で、穿孔駆動部１４の下端に取り付けられた穿孔工具４４をモータ４８により回転駆動し、本体部１２に取り付けられた送りハンドル６６を回転することにより、ラック６４とピニオン６５とからなるギア装置を介して、穿孔駆動部１４を本体部１２に対して下方に移動させて穿孔工具４４による加工対象物への穿孔加工を行うものである。
【００３４】
本体部１２は、図３に示すように、穿孔駆動部１４が取り付けられる前面壁部２０−１及び電磁石式固定部１８が取り付けられる下面壁部２０−２によりＬ型をなすフレーム２０と、該フレーム２０に取り付けられてバッテリ１６を着脱可能に保持するようにしたバッテリハウジング２２とからなる構造とされている。比較的に大きな力がかかる穿孔駆動部１４と電磁石式固定部１８とが直接取り付けられるフレーム２０はアルミニウム製として必要十分な強度を確保し、一方でそれほど大きな力のかからないバッテリハウジング２２は樹脂製とすることで軽量化を図っている。また、バッテリハウジング２２を樹脂製とすることにより、バッテリ１６の接続端子（図示しない）が触れても短絡することがないようにもなっている。なお、ここでいう「Ｌ型をなすフレーム」とは、例えば、下面壁部２０−２の一部が前面壁部２０−１よりもさらに前方にまで延在していて全体としての形状がＬ字状ではない場合であっても、そのフレーム２０の構造の中にＬ字状の部分が構成されているのであれば、そのようなフレームもこの「Ｌ型をなすフレーム」に含まれることを意味している。
【００３５】
図４に示すように、フレーム２０には、前面壁部２０−１及び下面壁部２０−２の右側縁間に設けられた右側リブ２０−３と左側縁間に設けられた左側リブ２０−４とが設けられており、この左右のリブ２０−３、２０−４により穿孔駆動部１４を支えるフレーム２０の強度を向上させている。左右のリブ２０−３、２０−４の上端部分の間には、左右の側面２０−１０、２０−１１の間で延びるハンドル取付用穴２０−８が形成されており、このハンドル取付用穴２０−８の中に、送りハンドル６６が取り付けられるシャフト２３−１及び送りハンドル６６による該シャフトの回転を穿孔駆動部１４の上下動に変換するためのピニオン６５（図３，図７）を収納する円筒状のギア機構部２３が設けられている。
【００３６】
バッテリハウジング２２は、中央部分で分割された右側部分２２−１と左側部分２２−２とからなっており、この右側部分２２−１と左側部分２２−２はフレーム２０を左右両側から挟み込むようにして該フレーム２０に取り付けられる。バッテリハウジング２２がフレーム２０に取り付けられると、バッテリハウジング２２とフレーム２０との間に内部空間２４（図３）が形成される。この内部空間２４における左右のリブ２０−３、２０−４の間に挟まれた位置には、前面壁部２０−１と並行に駆動制御回路３６（図４）が配置される。この駆動制御回路３６は、後述するように、バッテリ１６から穿孔駆動部１４のモータ４８や電磁石式固定部１８内の電磁石１８−１に供給される電力を制御する。なお、この駆動制御回路３６は下面壁部２０−２と並行に配置するようにしてもよい。
【００３７】
図４に示すように、フレーム２０には、前面壁部２０−１の上面２０−１２から右側面２０−１０及び左側面２０−１１の下端にまでそれぞれ延びる係合溝２０−５が設けられている。下面壁部２０−２は、上部板状部２０−２ａ及び該上部板状部２０−２ａと一体成形された下部ブロック状部２０−２ｂを有する。一方、バッテリハウジング２２には、フレーム２０の前面壁部２０−１を受け入れる前面開口部２２−４と下面壁部２０−２を受け入れる下面開口部２２−５が設けられ、前面開口部２２−４の上部及び上下方向の縁並びに下面開口部２２−５の縁に沿って内側に突出した縁部２２−６が形成されていて、フレーム２２に取り付けた際に、この突出した縁部２２−６がフレームの係合溝２０−５及び上部板状部２０−２ａの縁部の下面２０−６に係合するようになっている。バッテリハウジング２２には、さらに、フレーム２０のハンドル取付用穴２０−８に係合される突出した円環状縁部２２−８も形成されている。フレーム２０とバッテリハウジング２２の縁部との係合部分をこのようにすることにより外部から駆動制御回路３６が位置する内部空間２４内に埃や水が浸入しにくいようになっている。
【００３８】
また、バッテリハウジング２２には、フレーム２０の左右のリブ２０−３、２０−４に形成された円形の係合凹部２０−９に係合する６つの突起が円形状に並んだ係合突起部２２−９が形成されており、バッテリハウジング２２とフレーム２０との係合がより強固になるようにしている。バッテリハウジング２２は、その右側面２２−１４及び左側面２２−１５（図１）にそれぞれ設けられたネジ挿通穴２２−１１を通してフレーム２０の右側面２０−１０及び左側面２０−１１にそれぞれ設けられた４つのネジ穴２１にネジ８２（図１）によってフレーム２０に固定される。さらに右側部分２２−１に設けられた６つのネジ挿通穴２２−１２を通されたネジを左側部分２２−２に設けられた６つのネジ穴２２−１３にネジ係合することにより、右側部分２２−１と左側部分２２−２とを直接連結固定するようになっている。このようにバッテリハウジング２２がフレーム２０に対して多くの箇所で固定されるようになっているので、バッテリハウジング２２に大きな力がかかった際にも応力集中が起こりにくくなり、バッテリハウジング２２が破損する危険性が低くなる。
【００３９】
バッテリハウジング２２の上部に設けられた取っ手２６は、図４に示すようにバッテリハウジング２２の右側部分２２−１に形成された右側取っ手部２６−１と左側部分２２−２に形成された左側取っ手部２６−２とからなり、右側部分２２−１と左側部分２２−２とがフレーム２０に取り付けられたときに右側取っ手部２６−１及び左側取っ手部２６−２が一つの取っ手２６（図１）を形成するようになっている。右側取っ手部２６−１と左側取っ手部２６−２は、右側取っ手部２６−１から左側取っ手部２６−２にまで延在するネジ２７（図２）により連結固定されるようになっており、このネジが補強材としても機能して取っ手２６の強度を大きくしている。
【００４０】
図５に示すように、バッテリハウジング２２の後方上部にはバッテリ１６を受け入れるためのバッテリ収容空間２８が設けられており、このバッテリ収容空間２８にバッテリ１６が着脱可能に装着されるようになっている。バッテリ収容空間２８は、フレーム２０の前面壁部２０−１の後側で該前面壁部２０−１から離れて並行に延びる中間壁部２８−１と、この中間壁部２８−１に連接した底面壁部２８−２と、中間壁部２８−１の左右の両側縁からそれぞれ後方に延びる右側壁部２８−３及び左側壁部２８−４とにより囲まれた空間として画定されている。バッテリ収容空間２８の上部及び後部は開放されており、バッテリ１６は開放された上部から下方に向かってバッテリ収容空間２８内に摺動挿入されて装着される。底面壁部２８−２は前方から後部に向かって下方に僅かに傾斜しており、バッテリ収容空間２８に侵入した水が自然に排出される構造としている。バッテリ１６は、バッテリ収容空間２８内に装着された状態において、接続端子が下を向くようになっており、水や埃がバッテリ１６の中に侵入しにくいようになっている。
【００４１】
バッテリハウジング２２の上部には、バッテリカバー３０が前後方向に摺動可能に設けられており、図６に示すバッテリ１６が装着された状態では、バッテリカバー３０がバッテリハウジング２２から後方に突出してバッテリ１６の傾斜したカバー係合面１６−１（図３）に当接してバッテリ１６をバッテリハウジング２２から取り外すことができない状態となっている。この状態では、バッテリカバー３０がバッテリハウジング２２の中間壁部２８−１とバッテリ１６との間の隙間を部分的ではあるが上部から覆い隠すので、切粉や水などがバッテリ１６の端子部に侵入しにくくなる。バッテリ１６を取り外す際には、バッテリカバー３０を前方に押してバッテリハウジング２２内に退避させてから、バッテリ１６を上方に引き出すようにする。このようなバッテリカバー３０を設けることによって、バッテリ１６が不用意に外れてしまうことも防止できる。図３から分かるように、バッテリカバー３０のバッテリハウジング２２内に位置する部分には、下方に突出したスイッチ係合突起部３０−１が設けられており、バッテリカバー３０が後方に突出してバッテリ１６に当接しているときには本体部１２に設けられたリミットスイッチ３２を押してＯＮにし、前方に退避した状態ではリミットスイッチ３２をＯＦＦにするようになっている。このリミットスイッチ３２は内部空間２４に配置された駆動制御回路３６に接続されていて、バッテリ１６が正しく装着されているか、また、バッテリ１６が外せる状態になっていないかを監視するために使用される。装着されたバッテリ１６は、駆動制御回路３６に電気的に接続され、該駆動制御回路３６を介してモータ４８及び電磁石式固定部１８に電力を供給する。バッテリ１６からモータ４８及び電磁石式固定部１８に供給される電力は、駆動制御回路３６によって適宜制御される。
【００４２】
図３に示すように、バッテリハウジング２２とフレーム２０との間に形成される内部空間２４内の上部に位置する上方内部空間２４−１には、駆動制御回路３６からの信号に基づいて当該穿孔機１０の状態をバッテリハウジング２２の上部のＬＥＤ表示部３３（図１）に表示するためのＬＥＤ表示回路３４が、バッテリハウジング２２の外部から見えるように配置されている。このＬＥＤ表示回路３４は緑、黄、赤のＬＥＤを有し、これらＬＥＤの点滅状態により、作業者にバッテリ１６の残量やモータ４８への負荷の程度を知らせたり、異常発生時の警告をしたりする。なお、緑、黄、赤の別個のＬＥＤの代わりに、１つの素子としてパッケージングされて異なる色を発光できる１つのＬＥＤを使用するようにしてもよい。ＬＥＤ表示回路３４の下側には、上述のリミットスイッチ３２が配置されている。駆動制御回路３６とＬＥＤ表示回路３４及びリミットスイッチ３２との間は、それぞれ、収縮チューブ等で覆われた配線３５により電気的に接続されている。バッテリハウジング２２には、駆動制御回路３６とＬＥＤ表示回路３４及びリミットスイッチ３２との間の位置に仕切り板３８が設けられており、駆動制御回路３６が配置される下方内部空間２４−２をＬＥＤ表示回路３４及びリミットスイッチ３２が配置される上方内部空間２４−１から分離している。具体的には、図４に示すように、バッテリハウジング２２の右側部分２２−１に設けられた右側仕切り板３８−１と左側部分２２−２に設けられた左側仕切り板３８−２とがその間にＬ字状の開口部を形成するように対向し、該開口部にＬ字状のシール部材３９が密封係合するように取り付けられている。シール部材３９の中央部には配線挿通穴３９−１が形成されており、この配線挿通穴３９−１にＬＥＤ表示回路３４及びリミットスイッチ３２に接続された配線３５が通されて密封されるようになっている。仕切り板３８は後方から前方に向かって下方に傾斜するように設けられており、また上方内部空間２４−１に位置するフレーム２０の前面壁部２０−１の部分には排水口８０が形成されている。上方内部空間２４−１は、バッテリハウジング２２の外部に突出するバッテリカバー３０を摺動可能に受け入れているので、外部に対して密封されていない。したがって、外部から雨等の水が浸入する虞がある。しかし、上述のような傾斜した仕切り板３８と排水口８０とを有する構造により、上方内部空間２４−１に水が浸入した場合でも、駆動制御回路３６が位置する下方内部空間２４−２には浸入させることなくその水を排水口８０から外部に排出することができる。これにより、駆動制御回路３６が水に濡れて故障することを防止することができる。また、上部板状部２０−２ａの上面は前方から後方に向かって下方に傾斜しており、万一、下方内部空間２４−２に水が侵入した場合でも、上部板状部２０−２ａの後端に設けられた排水溝２０−１３から外部に水が排出されるようにもなっている。
【００４３】
フレーム２０の前面壁部２０−１の前面に取り付けられた穿孔駆動部１４の下部に位置するアーバ４０には、ドリルや環状カッターなどの穿孔工具４４が装着されるようになっている。図３に示すように、アーバ４０は減速機４５を介して穿孔駆動部１４の上部のモータカバー４６内に設けられたモータ４８に連結されており、このモータ４８を駆動することで穿孔工具４４を回転駆動するようになっている。図１等に示すように、モータカバー４６の側面５０には複数の通気孔５２が設けられており、該通気孔５２から内部に流入する空気によりモータ４８を冷却するようになっている。通気孔５２を上面５４ではなく側面５０に設けているのは、水や切粉、粉塵等のゴミができるだけ内部に入らないようにするためである。穿孔駆動部１４の左側面には、切削油の注入口となるプラグ５６が設けられており、該プラグ５６にホース付のワンタッチ式ソケットを取り付けることで、穿孔加工中の穿孔工具４４に切削油を供給するようになっている。
【００４４】
フレーム２０の前面壁部２０−１の前面には、図７に示すように、その左右両側に、上下方向に延びるアリ溝６２が形成され、穿孔駆動部１４には、図８に示すように、その左右両側縁が、アリ溝６２の形状に対応する形状とされたスライダ６３が設けられている。このスライダ６３にはラック６４（図８）が設けられ、フレーム２０にはラック６４に係合するピニオン６５（図７）が設けられており、フレーム２０の右側面２０−１０（図２）に突出しているシャフト２３−１の端部に取り外し可能に取り付けられた送りハンドル６６を手動で回転させることでピニオン６５を回転させて穿孔駆動部１４をフレーム２０に対して上下動させるようになっている。なお、この送りハンドル６６はフレーム２０の左側面２０−１１から突出するシャフト２３−１の端部に取り付けることもでき、状況に応じて左右どちらにでも取り付けられるようになっている。
【００４５】
穿孔駆動部１４のモータ４８から延びる配線６８は、図３に示すようにアリ溝６２とスライダ６３に形成された配線挿通路６９（図７、８）を通って本体部１２の内部空間２４内に至り駆動制御回路３６に接続されていて、外部にはほとんど露出しないようになっている。このようにすることで配線が引っ掛かるなとして過大な力がかかり配線が断線してしまうことを防止している。
【００４６】
本体部１２の下方に取り付けられた電磁石式固定部１８は内部の電磁石１８−１に電力を供給することにより磁界を発生し、鉄などの磁性体に磁気吸着して、当該穿孔機１０を固定保持するようになっている。電磁石式固定部１８とフレーム２０との間には位置調整機構５８が設けられており、位置調整機構５８に着脱可能に取り付けられた位置調整ハンドル６０を回すことにより本体部１２の位置を電磁石式固定部１８に対して前後左右に位置調整可能になっていて、穿孔位置を微調整できるようになっている。なお、この位置調整ハンドル６０は位置調整機構５８の右側面に取り付けることもできる。
【００４７】
図１に示すように、バッテリハウジング２２の左側面２２−１５には、電磁石式固定部１８を起動するための電磁石スイッチ７０が設けられている。電磁石スイッチ７０の周囲には壁７２が設けられており、電磁石スイッチ７０が不用意に操作されにくくなっている。電磁石スイッチ７０は後方側（図１で見て左側）の部分を押すとＯＦＦとなるようになっているが、壁７２はその後方側の部分が高くなっており、電磁石スイッチ７０が特にＯＮからＯＦＦに誤って切り替わりにくくなっている。また、図２に示すように、バッテリハウジング２２の右側面２２−１４には、モータ４８を起動するためのモータスイッチ７４が設けられている。モータスイッチ７４の周囲にも壁７６が設けられており、モータスイッチ７４が不用意に操作されにくくなっている。電磁石スイッチ７０とモータスイッチ７４をバッテリハウジング２２の左右の異なる側の側面２２−１４、２２−１５に配置することにより、スイッチを配置する場所の確保が容易になり、また内部空間２４内での配線の干渉も小さくなるので、バッテリハウジング２２を小さく設計することが可能となる。また、電磁石スイッチ７０とモータスイッチ７４とを誤って操作することも防止できる。
【００４８】
本実施形態に係る穿孔機１０は、本体部１２を別体とされたアルミニウム製のＬ型のフレーム２０と樹脂製のバッテリハウジング２２とにより上述のように構成することにより装置全体の小型軽量化を実現している。また、比較的に重量のあるバッテリ１６を同じく重量のある穿孔駆動部から後方に離した位置に配置することで重量バランスを良くして高い安定性を実現し、穿孔加工中の転倒を防止するとともに可搬性を向上させている。さらに、発熱体であるモータ４８とバッテリ１６とを熱伝導率の小さい樹脂を介して離れた位置に配置することにより、互いの熱の影響を小さくし冷却性を良くしている。
【００４９】
なお、本実施形態においては、フレーム２０の前面壁部２０−１と下面壁部２０−２は平板状の部材となっているが、円柱や円筒状の部材などを組み合わせて構成することもできる。また、フレーム２０はアルミニウム製としているが、十分な強度を得られる材料であれば、他の金属材料や高強度プラスチックなどの非金属材料、又は複数の材料の組合せにより形成することもできる。また、バッテリハウジング２２は樹脂製としているが、金属材料を含む他の材料により形成することもでき、特に金属などの導電性材料で形成した場合には、バッテリ収容空間２８を構成する部分、特にバッテリ１６の接続端子が触れる可能性が高い部分を樹脂等の非導電性材料で構成するようにして、バッテリ１６の短絡を防止するようにすることもできる。さらに、当該穿孔機１０の固定部は電磁石式ではなく、永久磁石を利用したものやクランプ機構によるものなど他の方式を採用した固定部とすることもできる。
【符号の説明】
【００５０】
穿孔機１０；本体部１２；穿孔駆動部１４；バッテリ１６；カバー係合面１６−１；電磁石式固定部１８；電磁石１８−１；フレーム２０；前面壁部２０−１；下面壁部２０−２；上部板状部２０−２ａ；下部ブロック状部２０−２ｂ；右側リブ２０−３；左側リブ２０−４；係合溝２０−５；下面２０−６；ハンドル取付用穴２０−８；係合凹部２０−９；右側面２０−１０；左側面２０−１１；上面２０−１２；排水溝２０−１３；ネジ穴２１；バッテリハウジング２２；右側部分２２−１；左側部分２２−２；前面開口部２２−４；下面開口部２２−５；突出した縁部２２−６；突出した円環状縁部２２−８；係合突起部２２−９；内側面２２−１０；ネジ挿通穴２２−１１；ネジ挿通穴２２−１２；ネジ穴２２−１３；右側面２２−１４；左側面２２−１５；ギア機構部２３；シャフト２３−１；内部空間２４；上方内部空間２４−１；下方内部空間２４−２；取っ手２６；右側取っ手部２６−１；左側取っ手部２６−２：ネジ２７；バッテリ収容空間２８；中間壁部２８−１；底面壁部２８−２；右側壁部２８−３；左側壁部２８−４；バッテリカバー３０；スイッチ係合突起部３０−１；リミットスイッチ３２；ＬＥＤ表示部３３；ＬＥＤ表示回路３４；配線３５；駆動制御回路３６；仕切り板３８；右側仕切り板３８−１；左側仕切り板３８−２；シール部材３９；配線挿通穴３９−１；アーバ４０；穿孔工具４４；減速機４５；モータカバー４６；モータ４８；側面５０；通気孔５２；上面５４；プラグ５６；位置調整機構５８；位置調整ハンドル６０；アリ溝６２；スライダ６３；ラック６４；ピニオン６５；送りハンドル６６；配線６８；配線挿通路６９；電磁石スイッチ７０；壁７２；モータスイッチ７４；壁７６；排水口８０；ネジ８２
【図１】
2014217915.tif 000003
【図２】
2014217915.tif 000004
【図３】
2014217915.tif 000005
【図４】
2014217915.tif 000006
【図５】
2014217915.tif 000007
【図６】
2014217915.tif 000008
【図７】
2014217915.tif 000009
【図８】
2014217915.tif 000010